(57)【特許請求の範囲】
【請求項１】
扉枠の上枠と枠つなぎ板とを溶着し、その枠つなぎ板を鉄筋棒に溶着して扉枠を壁開口に取り付け、その扉枠には扉を開閉自在に蝶着した扉装置における上枠の取付構造において、上枠と、上枠に溶着される枠つなぎ板の何れか一方の部材に破断用スリットを設けて破断用スリットにより変形取付片部を画成し、その変形取付片部に破断用スリットを形成していない他方の部材を溶着し、上記破断用スリットを、変形取付片部が上記破断用スリットを挟んで対向する部位と計画破断部分により結合されているように形成し、該計画破断部分は、扉枠が変形して上枠が上方移動する際に生ずる所定の破断力により破断する強度に設定されていることを特徴とする扉装置における上枠の取付構造。
【請求項２】
枠つなぎ板は上枠の下方向移動を規制する下方向移動規制部分を備えていることを特徴とする請求項１記載の扉装置における上枠の取付構造。
【請求項３】
計画破段部分は、所定の破断力により段階的に変形取付片部が変形するように該変形取付片部に破断用スリットを挟んで対向する部位と該変形取付片部とを複数箇所で結合することを特徴とする請求項１または２記載の扉装置における上枠の取付構造。
【請求項４】
計画破断部分は、枠変形時に作用する所定の破断力に応じて、破断用スリットに沿う方向の計画破断幅と破断用スリットを設けた部材の厚さから決められる破断面積が設定されていることを特徴とする請求項１〜３何れか１項記載の扉装置における上枠の取付構造。
【請求項５】
破断用スリットを上枠の逃げ返し部１５に見込み方向内側と上枠長手方向に伸びるＬ字形状に設け、Ｌ字形状の破断用スリットで画成された変形取付片部の下面に枠つなぎ板を当接状態で溶着し、その枠つなぎ板の変形取付片部から破断用スリットを超える逃げ返し部１５の下面に位置する部分を下方向移動規制部分としたことを特徴とする請求項１〜４何れか１項記載の扉装置における上枠の取付構造。
【請求項６】
破断用スリットを枠つなぎ板の略中心部分から夫々扉枠見込み方向外側へ逆方向に伸びるように２個所設け、枠つなぎ板の扉枠見込み方向両端部分の破断用スリットによって分けられる上枠長手方向一方側を変形取付片部として上枠の逃げ返し部の下面に当接状態で取付け、上枠長手方向他方側を逃げ返し部の下面に位置する下方向移動規制部分としたことを特徴とする請求項１〜４何れか１項記載の扉装置における上枠の取付構造。
【発明の詳細な説明】
【０００１】
【発明の属する技術分野】
この発明は、扉装置の上枠の取付構造に関し、特に地震発生で躯体と共に扉枠が変形したときにも、扉を開くことができる扉装置における上枠の取付構造に関する。
【０００２】
【従来の技術】
従来一般の扉装置では、扉枠の内側に扉が蝶着されており、地震等により、戸先側から吊元側に向けて扉枠が変形した場合、扉の戸先側上端が持ち上げられ、上枠の内側に下方から突き当たる。扉枠は枠つなぎ板と溶着されており、その枠つなぎ板は鉄筋棒に溶着されて扉枠が壁開口に一体に固定されている。そのため、上記のように扉の戸先側上端が上枠を下側から押上げた時には、戸先側上端が壁開口に固定の上枠に大きな力で押し付けられ、扉を開くことができなくなり、避難経路が確保できない。これを解決するため▲１▼特開平１１−４４１６３号等では、壁開口に設けられる扉枠を周辺壁に固定される外枠と、外枠の内側にクリアランスを設けて設置される内枠とで構成し、外枠に内枠をスライド機構等により連結している。地震により外力を受けると、スライド機構等により外枠と内枠が相対的に滑ることで外枠の変形が吸収され、内枠の形状には影響を及ぼさず扉の開閉機能が維持される。また、▲２▼特開平９−０４１８３６号では、ドア本体の下端部に設けたかまち収容凹部にスライド移動可能にかまち部材を設け、ドア本体の上端部に設けた閉鎖部材収容凹部にスライド移動可能に閉鎖部材本体を設け、閉鎖部材本体を常時付勢スプリングにより上方に付勢している。地震等によりドア本体が上下方向で扉枠に押し付けられるとかまち部材と閉鎖部材本体がスライド移動し、ドアの開放をスムーズに行える。
【０００３】
【発明が解決しようとする課題】
前記▲１▼、▲２▼では、地震によって扉装置が変形しても、扉の開放を可能としているが、▲１▼では、扉枠を外枠と内枠とで構成し、スライド機構等によりスライド移動可能にそれらを連結しているので構成が複雑であり、高価である。また、▲２▼では、ドア本体に、かまち部材と閉鎖部材本体とをスライド移動可能に設けているので、やはり、構成が複雑であり、高価になる問題がある。
本願の課題は、地震により、扉枠が戸先側から吊元側へ向けて変形して扉の戸先側上端が扉枠の上枠を下から押上げた場合に、上枠を上方に逃がすようにして扉の戸先側上端が上枠に固く押し付けられることを防止して、扉を開くことができるようにすると共に構造が簡単で安価な扉装置における上枠の取付構造を提供するものである。
【０００４】
【課題を解決するための手段】
前記課題解決のため本願発明では、扉枠の上枠と枠つなぎ板とを溶着し、その枠つなぎ板を鉄筋棒に溶着して扉枠を壁開口に取り付け、その扉枠には扉を開閉自在に蝶着した扉装置における上枠の取付構造において、上枠と、上枠に溶着される枠つなぎ板の何れか一方の部材に破断用スリットを設けて破断用スリットにより変形取付片部を画成し、その変形取付片部に破断用スリットを形成していない他方の部材を溶着し、上記破断用スリットを、変形取付片部が上記破断用スリットを挟んで対向する部位と計画破断部分により結合されているように形成し、該計画破断部分は、扉枠が変形して上枠が上方移動する際に生ずる所定の破断力により破断する強度に設定されていることを特徴とする（請求項１）。これによれば、上枠または枠つなぎ板のいずれか一方に破断用スリットを設けて変形取付片部を画成したので、扉枠の上枠を扉の戸先側上端が下から押し上げ、その時の押し上げ力が計画破断部分の破断力を超えると、計画破段部分が破断して、上枠が上方に移動し、扉の戸先側上端が上枠に固く押し付けられることがなくなり、扉を開くことができる。また、一般的な扉装置と同様に扉枠が吊元側竪枠と戸先側竪枠と上枠とから枠組みしてあり、従来の扉装置のように扉枠を外枠に内枠を相対滑動可能に設けて二重構造にしたり、扉本体にスライド移動可能に閉鎖部材本体等を設けた構造に比べて、構造が簡単であり安価となる。
【０００５】
前記枠つなぎ板は上枠の下方向移動を規制する下方向移動規制部分を備えていることを特徴とする（請求項２）。これによれば、上枠の下方移動の規制によって上枠は上方へ向けてのみ変形可能であり、上枠が扉に向けて押し下げられるのが妨げられるので、扉の開放を妨げない。
【０００６】
前記計画破段部分は、所定の破断力により段階的に変形取付片部が変形するように該変形取付片部に破断用スリットを挟んで対向する部位と該変形取付片部とを複数箇所で結合することを特徴とする（請求項３）。これによれば、扉の上方移動量に応じて上枠を上方に段階的に変位させることができる。
【０００７】
また、前記計画破断部分は、枠変形時に作用する所定の破断力に応じて、破断用スリットに沿う方向の計画破断幅と破断用スリットを設けた部材の厚さから決められる破断面積が設定されていることを特徴とする（請求項４）。これによれば、破断面積を適宜に設定することで、変形取付片部の破断を制御できて好ましい。
【０００８】
前記破断用スリットを上枠の逃げ返し部に見込み方向内側と上枠長手方向に伸びるＬ字形状に設け、Ｌ字形状の破断用スリットで画成された変形取付片部の下面に枠つなぎ板を当接状態で溶着し、その枠つなぎ板の変形取付片部から破断用スリットを超える逃げ返し部の下面に位置する部分を下方向移動規制部分としたことを特徴とする（請求項５）。
【０００９】
前記破断用スリットを枠つなぎ板の略中心部分から夫々扉枠見込み方向外側へ逆方向に伸びるように２個所設け、枠つなぎ板の扉枠見込み方向両端部分の破断用スリットによって分けられる上枠長手方向一方側を変形取付片部として上枠の逃げ返し部の下面に当接状態で取付け、上枠長手方向他方側を逃げ返し部の下面に位置する下方向移動規制部分としたことを特徴とする（請求項６）。
【００１０】
【発明の実施の形態】
本願発明の実施の形態について図１〜図８に基づいて説明する。図１において、スチール製の扉枠１は、吊元側竪枠２、戸先側竪枠３、上枠４とを枠組みして構成されている。吊元側竪枠２の上端は上枠４の吊元側端に直交して接合され、一体に溶着されている。戸先側竪枠３の上部側は、図４に示す断面形状を成す。戸先側竪枠３は、上端に近い部分で上下側竪枠５，６に分割されている。上側竪枠５の上端は、上枠４の戸先側端部に直交して接合され、一体に溶着されている。上側竪枠５の背面側（コンクリート壁１４側）には、図２、４に示すように、所定の上下（長手）長さを有し、上側竪枠５の背面の屈曲形状に倣った断面形状の接合ピース７の上部７ａが嵌め込まれ、上側竪枠５に一体溶着されている。
【００１１】
接合ピース７の下部７ｂは、下側竪枠６の背面に沿うように下側竪枠６に上下方向に摺動移動できるように嵌め込まれ、その下端部近傍において、下側竪枠６と水平方向のねじ（結合部材）８で結合されている。このねじ８は、所定の上下方向のせん断力が作用すると、破断する強度を有している。その許容せん断力は、上枠４と吊元、戸先側の各竪枠２，３を組み付けて扉枠１を構成し、その扉枠１を通常状態で運搬したり、使用したりしたときには、破断しない程度の荷重に耐えるものとなっており、扉枠１を壁開口１０に取りつける取り付け作業時においても破断することがなく、地震により扉９の戸先側が持ち上げられて上枠４を押上げるような異常かつ過大な所定の外力（破断力）が作用したときには、破断するように設定される。
【００１２】
この扉枠１は、壁開口１０に取り付けられる。この時、戸先側竪枠３の、下側竪枠６は、下側竪枠６の取り付け片１１に溶着したアンカー金具１２と、そのアンカー金具１２に溶着した鉄筋棒１３とにより、壁１４と一体に取り付けられる。また、吊元側竪枠２も、上記同様にアンカー金具１２と鉄筋棒１３とにより吊元側の壁１４に一体に取り付けられる。
【００１３】
一方、上側竪枠５を一体に備えた上枠４は、その逃げ返し部１５の長手両端に近い部分に図５に示す破断用スリット１６が夫々１ヵ所以上設けられている。破断用スリット１６は、見込み方向内側と上枠長手方向に伸びるＬ字形状をしており、その破断用スリット１６により変形取付片部１５ａが画成されている。破断用スリット１６は、変形取付片部１５ａが破断用スリット１６を挟んで対向する部位と計画破断部分１７によって１つ以上の個所で結合されている。本願実施の形態では、計画破段部分１７は、第１計画破断部分１７ａと第２計画破段部分１７ｂの２個所設けられており、夫々変形取付片部１５ａと変形取付片部１５ａが破断用スリット１６を挟んで対向する部位とを結合し、各破断用スリット１６を第１スリット１６ａと第２スリット１６ｂとに分割しており、所定の破断力により段階的に変形取付片部１５ａが変形するようにしている。
【００１４】
また、計画破断部分１７は、地震に際して、その破断面積が、扉９が上枠４を押上げるような変形によって、計画破断部分１７に作用する外力による所定の破断力（せん断力）により破断するように設定されており、その破断力は、扉枠１を通常状態で運搬したり、使用したり、扉枠１を壁開口１０に取りつけたりするときには、破断することがない。破断面積は、破断用スリット１６に沿う方向の計画破断幅Ｌと上枠４の厚さＴから求められるので、計画破断幅Ｌを定めることで所定の破断力に応じた破断面積が設定され、変形取付片部１５ａの破断を制御できる。
【００１５】
変形取付片部１５ａの下面には、枠つなぎ板１８が当接状態で溶着されている。枠つなぎ板１８は、上枠４の長手方向に対して破断用スリット１６を見込み方向に跨いで位置し、変形取付片部１５ａから破断用スリット１６を超えて逃げ返し部１５の下面に位置する部分が下方向移動規制部分１９となっている。下方向移動規制部分１９は、地震による扉枠１の変形時に上枠４が下方向に移動するのを規制する。この枠つなぎ板１８に鉄筋棒１３が溶着され、上側の壁１４に上枠４が取付けられている。
【００１６】
図３に示すように、こうして壁開口１０に取り付けられた上枠４と壁１４との間には、前記枠つなぎ板１８の上面と上枠４の逃げ返し部１５の内側端面間にわたる見込み幅間の空間と上枠４の内部空間に、上枠４の内側面（背面）との間に空間を持ってモルタル２０が充填され、そのモルタル２０と上枠４の内側面との間の空間には、上枠４が上方に押上げられ計画破断部分１７が破断したときに、変形取付片部１５ａのたわみによる上枠４の上方変位を許容するように、発泡ウレタン等の変形容易な枠内充填材２１が介在してある。また、上枠４の逃げ返し部１５と壁１４との間には、弾性変形容易なシーリング材２２が充填され、そのシーリング材２２と前記モルタル２０間には弾性変形可能なガスケット２３が介在され、やはり、上枠４が上方に押上げられて計画破断部分１７が破断したときに、上枠４の上方変位を許容するようにしてある。
【００１７】
壁１４と戸先側竪枠３の上側竪枠５と接合ピース７の下部７ｂ付近との間にも、上記壁１４と上枠４間と同一形態で、モルタル２０と、モルタル２０と竪枠２，３の間の変形容易な枠内充填材（発泡ウレタン）２１が充填されている。戸先側竪枠３において、枠内充填材２１は、接合ピース７部分においては、モルタル２０と接合ピース７の背面の間に充填され（図４）、それ以外の部分では、上枠４部分と同じように、モルタル２０と竪枠３背面との間に充填されている。また、竪枠２，３と壁１４との間で見込み方向両側には、シーリング材２２が施してある。扉９はその吊元側部分が上下２個所で蝶番２４により、吊元側竪枠２に開閉可能に連結してある。蝶番２４に代えて、周知のピボットヒンジで扉９を蝶着してもよい。
【００１８】
このような構成によれば、変形のない図２、図５の状態から、地震により戸先側から吊元側に向けて扉枠１が変形すると、その変形により扉９の戸先側が上方に持ち上げられ、上枠４に下側から突き当たる。この押上げ力が、ねじ８の許容せん断力を超えると、下側竪枠６と接合ピース下部７ｂとを結合していたねじ８が破断する。すると、扉９の押し上げ力で上枠４が押上げられ、先ず上枠４の第１計画破断部分１７ａが破断し、第１スリット１６ａで画成された変形取付片部１５ａがたわみ、上枠４は、枠内充填材２１やシーリング材２２等を圧縮しながら面外方向（見込み方向）の移動が拘束された状態で上方に移動する。更に扉９により上枠４が押上げられると、第２計画破断部分１７ｂが破断し、残る第２スリット１６ｂで画成された変形取付片部１５ａがたわみ、図７、図８に示すように上枠４が上方に移動する。
【００１９】
この上枠４の上方移動に伴って、上側竪枠５が上方に移動し、上枠４と一体の接合ピース７は、壁開口１０に固定の下側竪枠６に対して、その下部７ｂが対応する枠内充填材２１等を変形させつつ下側竪枠６に対して上方にスライドする（図６）。スライドしても、下部７ｂは下側竪枠６に嵌まった状態が維持されるから、上下側の竪枠５，６がこのように上下に分離しても、その室内外の位相がずれることはない。また、地震に際し、扉枠１が変形しようとし、上枠４が下方に移動しようとする場合には、枠つなぎ板１８の下方向移動規制部分１９が上枠４の下方移動を妨げる。このように、扉９の押し上げによって上枠４が上方に逃げる構造となっていると共に、扉枠１の変形による上枠４の下方移動を規制しているので、扉９の上端部分が上枠４に固く押し付けられることが防止され、地震で扉枠１が変形しても、扉９を開いて通路を確保できる。
【００２０】
次に主に乾式壁に利用する第２の実施の形態を説明する。前記実施の形態とは、枠つなぎ板１８と上枠４との連結構造及び壁の形式が乾式壁か湿式壁であるかが異なり、他の部分は同一であるので同一の部分には同一の符号を付けて説明を省略する。図９に示すように、枠つなぎ板１８には、２つの破断用スリット２５が形成されている。各破断用スリット２５は、枠つなぎ板１８の略中心部分から扉枠見込み方向外側へ夫々反対方向に伸びている。この枠つなぎ板１８の扉枠見込み方向両端部分の破断用スリット２５によって分けられる上枠長手方向一方側は、変形取付片部２６となっており、他方側は、下方向移動規制部分２７となっている。枠つなぎ板１８の扉枠見込み方向両端部分は、上枠４の逃げ返し部１５の下面に当接状態となっており、変形取付片部２６が逃げ返し部１５と溶着されている。両破断用スリット２５は、枠つなぎ板１８の扉枠見込み方向端部分で、前記実施の形態と同様に変形取付片部２６が破断用スリット２５を挟んで対向する部位と計画破断部分２８によって結合されている。地震に際して、扉枠１の変形によって扉９が上方に押上げられ、上枠４を押上げると、計画破段部分２８が破断し、図１０に示すように変形取付片部２６が上枠４の上方移動に伴って上方に移動し、上側竪枠５等も上方に移動し、扉９の上端部分が上枠４に固く押し付けられることが防止され、地震で扉枠１が変形しても、扉９を開放可能とする。
【００２１】
【発明の効果】
以上のように本願発明によれば、上枠と、上枠に取付けられる枠つなぎ板の何れか一方に破断用スリットを設け、破断用スリットにより画成した変形取付片部に他方の部材を固着し、前記破断用スリットを、変形取付片部が上記破断用スリットを挟んで対向する部位と計画破断部分により結合するように形成し、扉枠の変形に際して所定の破断力が作用したとき、計画破段部分が破断して変形取付片部を変形させながら上枠が上方移動するように構成したので、扉の上端と上枠とが固く押し付けられることがなくなり、扉を開くことができる。また、従来のものに比べ構造が簡単で安価になる。更に、枠つなぎ板に備えた下方向移動規制部分によって上枠の下方移動が規制され、上枠は一定方向（上方向）のみに移動し、上枠が扉に向けて押付けられず、扉の開放を妨げない。
また、計画破断部分により、変形取付片部と、変形取付片部に破断用スリットを挟んで対向する部位とを複数箇所で結合すれば、上枠を段階的に上方に変位することができる。また、計画破断部分の破断面積は、所定の破断力に応じて設定されるので、変形取付片部の破断を制御できる。
【図面の簡単な説明】
【図１】本願発明に係る扉装置の正面図であり、シーリング材は省略してある。
【図２】扉枠の戸先部分正面拡大図である。
【図３】図２のＩＩＩ−ＩＩＩ線断面図である。
【図４】図１のＩＶ−ＩＶ線断面図である。
【図５】上枠と枠つなぎ板の取付を示す斜視図である。
【図６】扉枠変形時の戸先部分拡大正面図である。
【図７】扉枠変形時の変形取付片部の変形を示す斜視図である。
【図８】扉枠変形時の上枠の上方移動を示す図である。
【図９】第２の実施の形態である。
【図１０】第２の実施の形態における上枠の上方移動を示す図である。
【符号の説明】
１  扉枠
４  上枠
９  扉
１０  壁開口
１３  鉄筋棒
１５  上枠の曲げ返し部
１５ａ  変形取付片部
１６  破断用スリット
１７  計画破断部分
１８  枠つなぎ板
１９  下方向移動規制部分
Ｌ  計画破断幅
Ｔ  厚さ
【図１】
0003760991.tif 000002
【図２】
0003760991.tif 000003
【図３】
0003760991.tif 000004
【図４】
0003760991.tif 000005
【図５】
0003760991.tif 000006
【図６】
0003760991.tif 000007
【図７】
0003760991.tif 000008
【図８】
0003760991.tif 000009
【図９】
0003760991.tif 000010
【図１０】
0003760991.tif 000011